(57)【特許請求の範囲】
【請求項１】
筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、
前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、
各前記フィルタ駆動ローラの外側端部は、前記筐体の側部に設けられている軸部に回転自在に嵌合支持され、
各前記フィルタ駆動ローラの中央側端部は、各々の中央側端部に設けられている軸部を介して共通の軸押え部材により前記筐体の中央軸受部に回転自在に支持され、
前記軸押え部材には、前記フィルタ駆動ローラの中央側端部の前記軸部を支持する軸受部の一部が設けられ、前記筐体の中央部に設けられている軸受部と共に前記フィルタ駆動ローラの中央側端部の前記軸部を支持する前記中央軸受部を構成していることを特徴とする空気調和機。
【請求項２】
筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、
前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、
各前記フィルタ駆動ローラの外側端部は、前記筐体の側部に設けられている軸部に回転自在に嵌合支持され、
各前記フィルタ駆動ローラの中央側端部は、各々の中央側端部に設けられている軸部を介して共通の軸押え部材により前記筐体の中央軸受部に回転自在に支持され、
前記軸押え部材は、下端が前記筐体の支持部に回転自在に支持され、上端側が前記筐体の係止部に弾性変形可能な引っ掛け爪を介して係脱自在に係止めされていることを特徴とする空気調和機。
【請求項３】
筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、
前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、
各前記フィルタ駆動ローラの外側端部は、前記筐体の側部に設けられている軸部に回転自在に嵌合支持され、
各前記フィルタ駆動ローラの中央側端部は、各々の中央側端部に設けられている軸部を介して共通の軸押え部材により前記筐体の中央軸受部に回転自在に支持され、
前記軸押え部材には、前記フィルタ駆動ローラの中央側端部の前記軸部を支持する軸受部の一部が設けられ、前記筐体の中央部に設けられている軸受部と共に前記フィルタ駆動ローラの中央側端部の前記軸部を支持する前記中央軸受部を構成し、
前記軸押え部材は、下端が前記筐体の支持部に回転自在に支持され、上端側が前記筐体の係止部に弾性変形可能な引っ掛け爪を介して係脱自在に係止めされていることを特徴とする空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その１つに、熱交換器の上流側に配設されているエアフィルタをフィルタガイドに沿って移動させ、その移動経路に沿って設置されている回転ブラシ等を介してエアフィルタ上の塵埃を掻き取り、それをダストボックス内に回収するように構成したものが知られている（例えば、特許文献１，２参照）。
【０００３】
かかる空気調和機において、フィルタ清掃機構は、エアフィルタと、その移動経路を形成するガイド部と、エアフィルタをガイド部に沿って移動するモータ、歯車機構、エアフィルタ側のラックと噛み合うピニオンおよびフィルタ駆動ローラ等からなるフィルタ移動手段等とが一体化されたフィルタユニットをベース本体に固定設置するとともに、ベース本体に固定設置されている前面グリルの前面に、前記フィルタ移動手段を介して移動されるエアフィルタから塵埃を掻き取る回転ブラシを備えたダストボックスを着脱自在に設置した構成とされている。
【先行技術文献】
【特許文献】
【０００４】
【特許文献１】特許第４１７５４０９号公報
【特許文献２】特開２０１０−６５８９４号公報
【発明の概要】
【発明が解決しようとする課題】
【０００５】
上記特許文献１，２に示されたフィルタ清掃機構では、フィルタ移動手段等を備えたフィルタユニットがベース本体側に固定設置され、一方、回転ブラシ等を備えたダストボックスがベース本体に固定設置されている前面グリルの前面に着脱自在に設置された構成とされている。このため、エアフィルタから掻き取られた塵埃を処理する場合、前面パネルを開いて前面グリルからダストボックスを取り外すことによって、エアフィルタから回収された塵埃を簡便に処理することができる。
【０００６】
しかしながら、フィルタ移動手段のフィルタ駆動ローラ等に塵埃が付着した場合、それを洗浄し、除去するには、前面グリルをベース本体から取り外した後、フィルタユニットをベース本体から取り外し、更にフィルタユニットを分解してフィルタ駆動ローラを取り出さなければならなかった。従って、フィルタ駆動ローラ等が塵埃で汚された場合、ユーザーがそれを取り外して洗浄することは実質的に困難である等の課題があった。
【０００７】
本発明は、このような事情に鑑みてなされたものであって、エアフィルタを移動するフィルタ駆動ローラを筐体から簡易に取り外して洗浄でき、フィルタ清掃機構を清浄化することができる空気調和機を提供することを目的とする。
【課題を解決するための手段】
【０００８】
上記した課題を解決するために、本発明の空気調和機は、以下の手段を採用する。
すなわち、本発明にかかる空気調和機は、筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、各前記フィルタ駆動ローラの外側端部は、前記筐体の側部に設けられている軸部に回転自在に嵌合支持され、各前記フィルタ駆動ローラの中央側端部は、各々の中央側端部に設けられている軸部を介して共通の軸押え部材により前記筐体の中央軸受部に回転自在に支持され、前記軸押え部材には、前記フィルタ駆動ローラの中央側端部の前記軸部を支持する軸受部の一部が設けられ、前記筐体の中央部に設けられている軸受部と共に前記フィルタ駆動ローラの中央側端部の前記軸部を支持する前記中央軸受部を構成していることを特徴とする。
【０００９】
本発明によれば、エアフィルタをフィルタ移動経路に沿って移動するフィルタ駆動ローラと、該フィルタ駆動ローラと対向配置されているフィルタ清掃ブラシと、該フィルタ清掃ブラシによりエアフィルタから除去された塵埃を回収するダストボックスとからなるフィルタ清掃機構が装備されている空気調和機にあって、フィルタ駆動ローラが、フィルタ移動経路を形成しているフィルタガイド部材の一部を取り外すことにより、ダストボックスおよびフィルタ清掃ブラシ等と共に筐体に対して着脱自在に組み込まれているため、ダストボックスおよびフィルタ清掃ブラシ等を筐体から取り外して回収された塵埃等を廃棄処理する際、必要に応じてフィルタ移動経路を形成しているフィルタガイド部材の一部を取り外すことによって、エアフィルタを駆動するフィルタ駆動ローラを筐体から取り外すことができる。従って、フィルタ駆動ローラに塵埃が付着した場合でも、該フィルタ駆動ローラをダストボックスやフィルタ清掃ブラシ等と共に筐体から簡易に取り外して洗浄することが可能となり、ユーザー側で簡単にフィルタ清掃機構を清浄化することができる。
【００１０】
また、フィルタ駆動ローラが、左右に２分割されているエアフィルタに対応して左右に一対設けられており、各フィルタ駆動ローラの外側端部が、筐体の側部に設けられている軸部に回転自在に嵌合支持され、その中央側端部が、各々の端部に設けられている軸部を介して共通の軸押え部材により筐体の中央軸受部に回転自在に支持されているため、左右一対のフィルタ駆動ローラを、その外側端部を筐体の側部に設けられている軸部に嵌合した状態で中央側端部の軸部を１つの共通の軸押え部材により筐体の中央軸受部に回転自在に支持することによって、より少ない部品数で左右一対のフィルタ駆動ローラを筐体に対して着脱自在に支持することができる。従って、エアフィルタを駆動するフィルタ駆動ローラを着脱自在としながら、その部品数を低減して構成の簡素化を図ることができる。
また、軸押え部材に、フィルタ駆動ローラの中央側端部の軸部を支持する軸受部の一部が設けられ、筐体の中央部に設けられている軸受部と共にフィルタ駆動ローラの中央側端部の軸部を支持する中央軸受部を構成しているため、軸押え部材を筐体の中央部に固定することによって、左右一対のフィルタ駆動ローラの中央側端部に設けられている軸部を支持する中央軸受部を構成し、該中央軸受部を介して左右一対のフィルタ駆動ローラを筐体に対して回転自在に支持することができる。従って、左右一対のフィルタ駆動ローラを筐体に対して軸受部を介して円滑に回転可能にかつ着脱自在に支持することができる。
【００１１】
本発明にかかる空気調和機は、筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、各前記フィルタ駆動ローラの外側端部は、前記筐体の側部に設けられている軸部に回転自在に嵌合支持され、各前記フィルタ駆動ローラの中央側端部は、各々の中央側端部に設けられている軸部を介して共通の軸押え部材により前記筐体の中央軸受部に回転自在に支持され、前記軸押え部材は、下端が前記筐体の支持部に回転自在に支持され、上端側が前記筐体の係止部に弾性変形可能な引っ掛け爪を介して係脱自在に係止めされていることを特徴とする。
【００１２】
本発明によれば、エアフィルタをフィルタ移動経路に沿って移動するフィルタ駆動ローラと、該フィルタ駆動ローラと対向配置されているフィルタ清掃ブラシと、該フィルタ清掃ブラシによりエアフィルタから除去された塵埃を回収するダストボックスとからなるフィルタ清掃機構が装備されている空気調和機にあって、フィルタ駆動ローラが、フィルタ移動経路を形成しているフィルタガイド部材の一部を取り外すことにより、ダストボックスおよびフィルタ清掃ブラシ等と共に筐体に対して着脱自在に組み込まれているため、ダストボックスおよびフィルタ清掃ブラシ等を筐体から取り外して回収された塵埃等を廃棄処理する際、必要に応じてフィルタ移動経路を形成しているフィルタガイド部材の一部を取り外すことによって、エアフィルタを駆動するフィルタ駆動ローラを筐体から取り外すことができる。従って、フィルタ駆動ローラに塵埃が付着した場合でも、該フィルタ駆動ローラをダストボックスやフィルタ清掃ブラシ等と共に筐体から簡易に取り外して洗浄することが可能となり、ユーザー側で簡単にフィルタ清掃機構を清浄化することができる。
【００１３】
また、フィルタ駆動ローラが、左右に２分割されているエアフィルタに対応して左右に一対設けられており、各フィルタ駆動ローラの外側端部が、筐体の側部に設けられている軸部に回転自在に嵌合支持され、その中央側端部が、各々の端部に設けられている軸部を介して共通の軸押え部材により筐体の中央軸受部に回転自在に支持されているため、左右一対のフィルタ駆動ローラを、その外側端部を筐体の側部に設けられている軸部に嵌合した状態で中央側端部の軸部を１つの共通の軸押え部材により筐体の中央軸受部に回転自在に支持することによって、より少ない部品数で左右一対のフィルタ駆動ローラを筐体に対して着脱自在に支持することができる。従って、エアフィルタを駆動するフィルタ駆動ローラを着脱自在としながら、その部品数を低減して構成の簡素化を図ることができる。
また、軸押え部材が、下端が筐体の支持部に回転自在に支持され、上端側が筐体の係止部に弾性変形可能な引っ掛け爪を介して係脱自在に係止めされているため、フィルタ駆動ローラの着脱に際して、軸押え部材の上端側の引っ掛け爪を弾性変形させて筐体の係止部に対して係脱することにより、ワンタッチ操作で軸押え部材を開閉し、フィルタ駆動ローラを着脱することができる。従って、フィルタ駆動ローラの着脱作業をより単純化、容易化することができる。
【００１４】
本発明にかかる空気調和機は、筐体内部に設けられている熱交換器の上流側に、エアフィルタがフィルタ移動経路に沿って移動可能に付設されているとともに、該エアフィルタを前記フィルタ移動経路に沿って移動するフィルタ駆動ローラと、該フィルタ駆動ローラと対向配置されているフィルタ清掃ブラシと、該フィルタ清掃ブラシにより前記エアフィルタから除去された塵埃を回収するダストボックスとからなるフィルタ清掃機構が装備されている空気調和機において、前記フィルタ駆動ローラは、前記フィルタ移動経路を形成しているフィルタガイド部材の一部を取り外すことにより、前記ダストボックスおよび前記フィルタ清掃ブラシ等と共に前記筐体に対して着脱が自在なように組み込まれるとともに、左右に２分割されている前記エアフィルタに対応して左右に一対設けられており、各前記フィルタ駆動ローラの外側端部は、前記筐体の側部に設けられている軸部に回転自在に嵌合支持され、各前記フィルタ駆動ローラの中央側端部は、各々の中央側端部に設けられている軸部を介して共通の軸押え部材により前記筐体の中央軸受部に回転自在に支持され、前記軸押え部材には、前記フィルタ駆動ローラの中央側端部の前記軸部を支持する軸受部の一部が設けられ、前記筐体の中央部に設けられている軸受部と共に前記フィルタ駆動ローラの中央側端部の前記軸部を支持する前記中央軸受部を構成し、前記軸押え部材は、下端が前記筐体の支持部に回転自在に支持され、上端側が前記筐体の係止部に弾性変形可能な引っ掛け爪を介して係脱自在に係止めされていることを特徴とする。
【００１５】
本発明によれば、エアフィルタをフィルタ移動経路に沿って移動するフィルタ駆動ローラと、該フィルタ駆動ローラと対向配置されているフィルタ清掃ブラシと、該フィルタ清掃ブラシによりエアフィルタから除去された塵埃を回収するダストボックスとからなるフィルタ清掃機構が装備されている空気調和機にあって、フィルタ駆動ローラが、フィルタ移動経路を形成しているフィルタガイド部材の一部を取り外すことにより、ダストボックスおよびフィルタ清掃ブラシ等と共に筐体に対して着脱自在に組み込まれているため、ダストボックスおよびフィルタ清掃ブラシ等を筐体から取り外して回収された塵埃等を廃棄処理する際、必要に応じてフィルタ移動経路を形成しているフィルタガイド部材の一部を取り外すことによって、エアフィルタを駆動するフィルタ駆動ローラを筐体から取り外すことができる。従って、フィルタ駆動ローラに塵埃が付着した場合でも、該フィルタ駆動ローラをダストボックスやフィルタ清掃ブラシ等と共に筐体から簡易に取り外して洗浄することが可能となり、ユーザー側で簡単にフィルタ清掃機構を清浄化することができる。
また、フィルタ駆動ローラが、左右に２分割されているエアフィルタに対応して左右に一対設けられており、各フィルタ駆動ローラの外側端部が、筐体の側部に設けられている軸部に回転自在に嵌合支持され、その中央側端部が、各々の端部に設けられている軸部を介して共通の軸押え部材により筐体の中央軸受部に回転自在に支持されているため、左右一対のフィルタ駆動ローラを、その外側端部を筐体の側部に設けられている軸部に嵌合した状態で中央側端部の軸部を１つの共通の軸押え部材により筐体の中央軸受部に回転自在に支持することによって、より少ない部品数で左右一対のフィルタ駆動ローラを筐体に対して着脱自在に支持することができる。従って、エアフィルタを駆動するフィルタ駆動ローラを着脱自在としながら、その部品数を低減して構成の簡素化を図ることができる。
また、軸押え部材に、フィルタ駆動ローラの中央側端部の軸部を支持する軸受部の一部が設けられ、筐体の中央部に設けられている軸受部と共にフィルタ駆動ローラの中央側端部の軸部を支持する中央軸受部を構成しているため、軸押え部材を筐体の中央部に固定することによって、左右一対のフィルタ駆動ローラの中央側端部に設けられている軸部を支持する中央軸受部を構成し、該中央軸受部を介して左右一対のフィルタ駆動ローラを筐体に対して回転自在に支持することができる。従って、左右一対のフィルタ駆動ローラを筐体に対して軸受部を介して円滑に回転可能にかつ着脱自在に支持することができる。
また、軸押え部材が、下端が筐体の支持部に回転自在に支持され、上端側が筐体の係止部に弾性変形可能な引っ掛け爪を介して係脱自在に係止めされているため、フィルタ駆動ローラの着脱に際して、軸押え部材の上端側の引っ掛け爪を弾性変形させて筐体の係止部に対して係脱することにより、ワンタッチ操作で軸押え部材を開閉し、フィルタ駆動ローラを着脱することができる。従って、フィルタ駆動ローラの着脱作業をより単純化、容易化することができる。
【発明の効果】
【００１６】
本発明によると、ダストボックスおよびフィルタ清掃ブラシ等を筐体から取り外して回収された塵埃等を廃棄処理する際、必要に応じてフィルタ移動経路を形成しているフィルタガイド部材の一部を取り外すことによって、エアフィルタを駆動するフィルタ駆動ローラを筐体から取り外すことができるため、フィルタ駆動ローラ等に塵埃が付着した場合でも、該フィルタ駆動ローラをダストボックスやフィルタ清掃ブラシ等と共に筐体から簡易に取り外して洗浄することが可能となり、ユーザー側で簡単にフィルタ清掃機構を清浄化することができる。
【図面の簡単な説明】
【００１７】
【図１】本発明の一実施形態に係る空気調和機の外観斜視図である。
【図２】図１に示す空気調和機のフロントパネルを取外した状態の斜視図である。
【図３】図１に示す空気調和機の縦断面図である。
【図４】図２に示す空気調和機から回転ブラシおよびダストボックスと湾曲ガイド部材を取り外した状態の分解斜視図である。
【図５】図４に示す空気調和機から更にフィルタ駆動ローラを取り外した状態の分解斜視図である。
【図６】図２に示す空気調和機のフィルタ駆動ローラの中央側端部を支持する部位の拡大斜視図である。
【図７】図６に示す軸押え部材の拡大斜視図である。
【発明を実施するための形態】
【００１８】
以下に、本発明の一実施形態について、図１ないし図７を参照して説明する。
図１には、本発明の一実施形態に係る空気調和機の外観斜視図が示され、図２には、そのフロントパネルを取外した状態の斜視図が示され、更に図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に上部を支点に上方に開閉自在に取り付けられたフロントパネル４とから構成された横長長方形状の筐体５を備えている。
【００１９】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。また、フロントカバー３には、空気吸込み口８の左右方向の中央部にセンターフレーム３Ａが形成され、空気吸込み口８の左右両側にサイドフレーム３Ｂ，３Ｃが形成されている。なお、これらセンターフレーム３Ａおよびサイドフレーム３Ｂ，３Ｃは、後述するフィルタ清掃機構２３の構成部品等が組み付けられるため、必要な強度が確保されている。
【００２０】
さらに、フロントカバー３の上面には、吸込みグリル９が設置されており、その下面の前方部位には、略全幅にわたり温調された空気を室内に吹出す吹出し口１０が開口されている。空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００２１】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内ファン１６が順次配設されている。吸込みグリル９を介して吸込まれた室内空気は、エアフィルタ１４を通過して塵埃が除去された後、室内熱交換器１５により冷却または加熱され、室内ファン１６を介して空気吹出し口１０から室内に吹出されるようになっている。エアフィルタ１４は、左右に２分割されて設置されており、該エアフィルタ１４の背面側の前面上方部位には、それぞれ横長の空清フィルタ１７がフィルタ保持枠１８を介して配設されている。
【００２２】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内ファン１６を構成する細長い筒状のクロスフローファンが配設されている。エアフィルタ１４は、室内熱交換器１５の上流側において、筐体５を構成しているフロントカバー３の前面および上面の略全面に設けられている格子状の桟６，７の前面側領域を覆うように、多数のフィルタガイドによって形成される第１フィルタ移動経路１９に沿って付設されている。
【００２３】
第１フィルタ移動経路１９は、フロントカバー３の桟６，７の表面、吸込みグリル９の下面、フロントカバー３の前面側に設置されているフィルタガイド部材２０、空清フィルタ１７のフィルタ保持枠１８の外表面、該フィルタ保持枠１８に対向してフロントカバー３の前面上方部位に設置されているフィルタガイド部材２１、フロントパネル４の背面にフィルタガイド部材２０と対向配置されているフィルタガイド部材２２等々の多数のフィルタガイドによって形成されている。
【００２４】
この第１フィルタ移動経路１９は、筐体５の上面側に沿って形成されている移動経路１９Ａと、筐体５の前面側に沿って形成されている移動経路１９Ｂとから構成されている。また、第１フィルタ移動経路１９を介して室内熱交換器１５の上流側に沿って付設されているエアフィルタ１４は、その上流側面に捕集された塵埃を除去するため、フィルタ清掃機構２３により第１フィルタ移動経路１９内を往復動可能とされている。
【００２５】
フィルタ清掃機構２３は、エアフィルタ１４上に捕集されている塵埃を除去してエアフィルタ１４を自動清掃するためのものであり、フロントカバー３の前面側の下方部位に設置されている。本実施形態のフィルタ清掃機構２３は、エアフィルタ１４を往復動させるための左右一対の円筒状をなすフィルタ駆動ローラ２４と、該フィルタ駆動ローラ２４の下方に対向配置され、該フィルタ駆動ローラ２４により移動されるエアフィルタ１４の塵埃捕集面から塵埃を掻き取る左右一対の回転ブラシ（フィルタ清掃ブラシ）２５と、該回転ブラシ２５で掻き取った塵埃を回収して溜め込む左右一対の着脱可能なダストボックス２６とを備えた構成とされている。
【００２６】
各フィルタ駆動ローラ２４の左右両端部には、歯車（ピニオン）２４Ａが設けられており、この歯車２４Ａにエアフィルタ１４のフィルタ枠の左右両側に設けられているラック１４Ａが噛み合わされている。これによって、各フィルタ駆動ローラ２４を介してエアフィルタ１４が第１フィルタ移動経路１９内を往復動可能とされている。なお、各フィルタ駆動ローラ２４は、図示省略のモータを介して正逆回転されるようになっている。
【００２７】
また、フィルタ清掃時に、エアフィルタ１４がフィルタ清掃機構２３のフィルタ駆動ローラ２４を介して移動されたとき、その移動経路を確保するための第２フィルタ移動経路２７および第３フィルタ移動経路２９が筐体５内に形成されている。第２フィルタ移動経路２７は、エアフィルタ１４をフィルタ駆動ローラ２４に沿う湾曲部を介して上方に折返すための湾曲経路（Ｕターン経路）とされており、フィルタ駆動ローラ２４の外周面と該フィルタ駆動ローラ２４に沿って設けられている湾曲ガイド部材２８とによって形成されている。この第２フィルタ移動経路２７は、第１フィルタ移動経路１９の一端に連続されている。
【００２８】
第３フィルタ移動経路２９は、エアフィルタ１４を室内熱交換器１５の上方部位から外れた位置に導くための経路であって、第２フィルタ移動経路２７のＵターンされた側の端部に連続されている。この第３フィルタ移動経路２９は、室内熱交換器１５の前面側において、フロントパネル４の背面に沿って上下方向に延在されている第１フィルタ移動経路１９の移動経路１９Ｂと、室内熱交換器１５の前面側との間を通して、該移動経路１９Ｂと略平行に上方に延在されている。
【００２９】
また、第３フィルタ移動経路２９は、フロントカバー３の前面側の桟６の表面とフィルタガイド部材２０の後面２０Ａとの間に形成される上方に延在する移動経路２９Ａと、筐体５内の前面上方部位で第１フィルタ移動経路１９と交差してフロントパネル４の背面に延在する、フィルタガイド部材２１とフロントパネル４背面のフィルタガイド部材２２とによって形成される移動経路２９Ｂと、フロントパネル４の背面に沿って下向きに折り返されて下方に延在し、フィルタガイド部材２１の下端付近で第１フィルタ移動経路１９に合流される、フィルタガイド部材２１とフロントパネル４背面のフィルタガイド部材２２とによって形成される移動経路２９Ｃとから構成されている。
【００３０】
なお、第３フィルタ移動経路２９と第１フィルタ移動経路１９が交差する位置は、エアフィルタ１４が第３フィルタ移動経路２９に沿って移動される過程で、その一端が交差位置に差し掛かったとき、第１フィルタ移動経路１９を移動しているエアフィルタ１４の他端が交差位置を通過しているように、第２フィルタ移動経路２７のＵターン位置から最遠の上方位置に設定されている。
【００３１】
さらに、本実施形態においては、フィルタ清掃機構２３を構成しているフィルタ駆動ローラ２４、回転ブラシ２５およびダストボックス２６、並びに第２フィルタ移動経路２７を形成している湾曲ガイド部材２８等は、複数のロック機構３０、３１および軸押え部材３２を介してフロントカバー３側に着脱自在に組み込まれている。そして、これらのロック機構３０，３１および軸押え部材３２等を開放することによって、フィルタ駆動ローラ２４、回転ブラシ２５およびダストボックス２６、並びに湾曲ガイド部材２８が、図４および図５に示されるように、着脱自在、取り外し可能とされている。
【００３２】
回転ブラシ（フィルタ清掃ブラシ）２５は、ダストボックス２６に一体に組み込まれており、該ダストボックス２６が左右両側に設けられている一対のスライド方式のロック機構３０を介して、フロントカバー３のセンターフレーム３Ａとサイドフレーム３Ｂ，３Ｃとの間に着脱自在に組み込まれている。また、フィルタ駆動ローラ２４の外周に沿って該フィルタ駆動ローラ２４と回転ブラシ２５およびダストボックス２６との間に組み込まれている湾曲ガイド部材２８は、ダストボックス２６の上部において、左右両側に設けられている一対のスライド方式のロック機構３１を介して、フロントカバー３のセンターフレーム３Ａとサイドフレーム３Ｂ，３Ｃとの間に着脱自在に組み込まれている。
【００３３】
なお、ロック機構３０，３１は、図６に例示されているロック機構３１のように、湾曲ガイド部材２８側に水平方向にスライド自在に設置されたキー部材３１Ａを、フロントカバー３のセンターフレーム３Ａおよびサイドフレーム３Ｂ，３Ｃ側に固定設置されているロック部材３１Ｂのロック穴３１Ｃにスライドさせて挿入することによって、係脱自在とされている。ロック機構３０も同様の構成とされている。
【００３４】
また、フィルタ駆動ローラ２４は、図５に示されるように、外側端部に軸穴３３が設けられ、該軸穴３３がフロントカバー３のサイドフレーム３Ｂ，３Ｃ側に設けられている軸部３４に回転自在に嵌合されることによって、一端が支持されており、他端は、中央側端部に軸部３５が設けられ、該軸部３５がセンターフレーム３Ａに設けられている中央軸受部３６に軸押え部材３２を介して押し付けられることによって、回転自在に軸受け支持されている。
【００３５】
軸押え部材３２は、図６および図７に示されるように、下端部にフロントカバー３のセンターフレーム３Ａに設けられているロック部材３１Ｂに回転自在に嵌合支持される軸部３７が設けられ、上端部にセンターフレーム３Ａに設けられている係止部３８に係止めされる弾性変形可能な引っ掛け爪３９が設けられた構成とされている。また、軸押え部材３２には、フィルタ駆動ローラ２４の軸部３５を回転自在に支持する中央軸受部３６の一部を構成する軸受部４０が設けられ、軸部３７を支点に上方に回動し、引っ掛け爪３９を係止部３８に係止めすることにより、軸受部４０がフィルタ駆動ローラ２４の軸部３５を中央軸受部３６に押し付け、該軸部３５を回転自在に支持するように構成されている。
【００３６】
なお、軸押え部材３２は、湾曲ガイド部材２８を着脱するロック機構３１のキー部材３１Ａがロック部材３１Ｂのロック穴３１Ｃに挿入されているロック状態では下方に回動不可とされている。従って、ロック機構３１を解放して湾曲ガイド部材２８を取り外した後でないと、軸押え部材３２を下方に回動してフィルタ駆動ローラ２４を取り外すことができない構成とされている。また、軸押え部材３２には、それを開閉操作するための把手部４１が設けられている。
【００３７】
以上に説明の構成により、本実施形態によれば、以下の作用効果を奏する。
空気調和機１が運転されると、室内ファン１６の回転により、室内空気が吸込みグリル９および空気吸込み口８を介して筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出し口１０を経て室内に吹出されることによって、室内の冷房または暖房に供される。
【００３８】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３のフィルタ駆動ローラ２４および回転ブラシ２５を回転駆動し、第１フィルタ移動経路１９に沿って付設されているエアフィルタ１４を、第２フィルタ移動経路２７を経て第３フィルタ移動経路２９へと移動させることによって行われる。
【００３９】
すなわち、フィルタ駆動ローラ２４の回転により、歯車２４Ａにラック１４Ａを介して噛み合っているエアフィルタ１４が移動され、第１フィルタ移動経路１９から第２フィルタ移動経路２７および第３フィルタ移動経路２９へと往動される。この間、フィルタ駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００４０】
このように、エアフィルタ１４が第１フィルタ移動経路１９から第２フィルタ移動経路２７および第３フィルタ移動経路２９へと移動されることによって、その全面の清掃が完了すると、エアフィルタ１４の往動が停止される。こうして、エアフィルタ１４の自動清掃が完了すると、フィルタ駆動ローラ２４が逆回転され、エアフィルタ１４は、上記移動経路を逆方向に移動され、再び図３に示す第１フィルタ移動経路１９にセットされた通常付設位置へと戻される。
【００４１】
斯くして、本実施形態においては、フィルタ清掃機構２３を構成している部品、部材の殆どがフロントカバー３の前面側に組み込まれているため、フロントパネル４を上方に開放した後、エアフィルタ１４の第２フィルタ移動経路２７に差し込まれている一端を手前側に引き抜き、第１フィルタ移動経路１９にセットされている状態から下方に引き出すことによって、エアフィルタ１４を取り外すことができる。従って、必要に応じてエアフィルタ１４を単体で取り外して洗浄することができる。
【００４２】
また、エアフィルタ１４の自動清掃回数が増加し、ダストボックス２６内にエアフィルタ１４から回収した塵埃が或る量溜った場合、フロントパネル４を上方に開いた後、ロック機構３０のキー部材をスライドさせ、ロック部材から解放することによって、ダストボックス２６を回転ブラシ（フィルタ清掃ブラシ）２５と共にフロントカバー３から取り外すことができる。これによって、塵埃を適宜廃棄処理することができるとともに、必要に応じてダストボックス２６および回転ブラシ（フィルタ清掃ブラシ）２５を洗浄することができる。
【００４３】
さらに、フィルタ駆動ローラ２４に塵埃等が付着し、フィルタ駆動ローラ２４が汚れていた場合、ダストボックス２６を取り外した後、第２フィルタ移動経路２７を形成している湾曲ガイド部材２８を、ロック機構３１のキー部材３１Ａをスライドさせ、ロック部材３１Ｂから解放することによってフロントカバー３から取り外し、更に軸押え部材３２の引っ掛け爪３９を変形させてセンターフレーム３Ａの係止部３８から離脱させ、該軸押え部材３２を下方に回動することにより、図５に示されるように、フィルタ駆動ローラ２４を簡易に取り外すことができる。
【００４４】
従って、ダストボックス２６および回転ブラシ（フィルタ清掃ブラシ）２５等をフロントカバー３から取り外して回収された塵埃等を廃棄処理する際、必要に応じてフィルタ移動経路２７を形成している一部のガイド部材２８を取り外すことにより、エアフィルタ１４を駆動するフィルタ駆動ローラ２４についても、フロントカバー３から取り外すことができる。このため、フィルタ駆動ローラ２４に塵埃が付着した場合でも、該フィルタ駆動ローラ２４をダストボックス２６や回転ブラシ２５等と共にフロントカバー３から簡易に取り外して洗浄することが可能となり、ユーザー側で簡単にフィルタ清掃機構２３を清浄化することができる。
【００４５】
また、フィルタ駆動ローラ２４は、左右に２分割されているエアフィルタ１４に対応して左右一対設けられており、各フィルタ駆動ローラ２４の外側端部が、フロントカバー３のサイドフレーム３Ｂ，３Ｃに設けられている軸部３４に回転自在に嵌合支持され、その中央側端部が、各端部に設けられている軸部３５を介して共通の軸押え部材３２によりフロントカバー３のセンターフレーム３Ａに設けられている中央軸受部３６に回転自在に支持されている。
【００４６】
このため、左右一対のフィルタ駆動ローラ２４を、その外側端部をフロントカバー３側に設けられている軸部３４に嵌合支持した状態で、中央側端部の軸部３５を１つの共通の軸押え部材３２によりフロントカバー３側の中央軸受部３６に回転自在に支持することによって、より少ない部品数で左右一対のフィルタ駆動ローラ２４をフロントカバー３に対して着脱自在に支持することができる。従って、エアフィルタ１４を駆動するフィルタ駆動ローラ２４を着脱自在としながら、その部品数を低減してフィルタ清掃機構２３の構成を簡素化することができる。
【００４７】
また、軸押え部材３２には、フィルタ駆動ローラ２４の中央側端部の軸部３５を支持する軸受部の一部（軸受部４０）が設けられ、センターフレーム３Ａに設けられている軸受部３６と共にフィルタ駆動ローラ２４の中央側端部の軸部３５を支持する中央軸受部３６を構成しているため、軸押え部材３２をセンターフレーム３Ａに固定することにより、左右一対のフィルタ駆動ローラ２４の中央側端部に設けられている軸部３５を支持する中央軸受部３６を構成し、該中央軸受部３６を介して左右一対のフィルタ駆動ローラ２４をフロントカバー３に対して回転自在に支持することができる。従って、左右一対のフィルタ駆動ローラ２４をフロントカバー３に対して軸受部３６を介して円滑に回転可能にかつ着脱自在に支持することができる。
【００４８】
さらに、軸押え部材３２は、下端がセンターフレーム３Ａのロック部材３１Ｂに回転自在に支持され、上端側がセンターフレーム３Ａの係止部３８に弾性変形可能な引っ掛け爪３９を介して係脱自在に係止めされている。このため、フィルタ駆動ローラ２４の着脱するに際し、軸押え部材３２の上端側の引っ掛け爪３９を弾性変形させてセンターフレーム３Ａの係止部３８に対して係脱することにより、ワンタッチで軸押え部材３２を開閉操作して、フィルタ駆動ローラ２４を着脱することができる。従って、フィルタ駆動ローラ２４の着脱作業をより単純化、容易化することができる。
【００４９】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。また、フィルタ清掃機構２３は、エアフィルタ１４が移動される方式であれば、如何なる構成であってもよく、例えば回転ブラシ式である必要はなく、固定式の掻き取りブラシを用いたものであってもよい。
【符号の説明】
【００５０】
１  空気調和機
３  フロントカバー
３Ａ  センターフレーム
３Ｂ，３Ｃ  サイドフレーム
５  筐体
１４  エアフィルタ
１５  室内熱交換器（熱交換器）
１９  第１フィルタ移動経路
２３  フィルタ清掃機構
２４  フィルタ駆動ローラ
２５  回転ブラシ（フィルタ清掃ブラシ）
２６  ダストボックス
２７  第２フィルタ移動経路
２８  湾曲ガイド部材
２９  第３フィルタ移動経路
３０，３１  ロック機構
３２  軸押え部材
３３  軸穴
３４  軸部
３５  軸部
３６  中央軸受部
３８  係止部
３９  引っ掛け爪
４０  軸受部
【図１】
0005591020.tif 000002
【図２】
0005591020.tif 000003
【図３】
0005591020.tif 000004
【図４】
0005591020.tif 000005
【図５】
0005591020.tif 000006
【図６】
0005591020.tif 000007
【図７】
0005591020.tif 000008